(57)【要約】【課題】スイッチング電源回路を備える燃焼装置において、バーナの着火を誤判定することを防止することが可能な技術を提供する。【解決手段】本明細書が開示する燃焼装置は、バーナと、電気的駆動弁と、イグナイタと、接地電位を基準とする熱起電力を出力電圧として出力する熱電対と、制御装置と、交流電力を直流電力に変換するスイッチング電源回路であって、接地電位と負極出力線を接続するキャパシタを備えているスイッチング電源回路を備えている。制御装置は、イグナイタを駆動している状態で、電気的駆動弁を閉状態から開状態に切り換える着火処理を実行し、着火処理を実行した後、熱電対の出力電圧が第１しきい値を超えると、バーナが着火したと判定し、バーナが着火したと判定した後、所定時間が経過しても熱電対の出力電圧が所定量以上増加しない場合に、バーナが着火したとの判定をキャンセルする。【選択図】図２
2019044996.tif 000002
【特許請求の範囲】
【請求項１】
バーナと、
バーナへのガスの供給を許容する開状態と、バーナへのガスの供給を禁止する閉状態の間で切り換え可能な電気的駆動弁と、
バーナに設けられたイグナイタと、
バーナに設けられており、接地電位を基準とする熱起電力を出力電圧として出力する熱電対と、
電気的駆動弁およびイグナイタの動作を制御するとともに、熱電対の出力電圧に基づいてバーナの着火の有無を判定する制御装置と、
商用電源から供給される交流電力を、直流電力に変換して正極出力線および負極出力線に出力するスイッチング電源回路であって、接地電位と負極出力線を接続するキャパシタを備えているスイッチング電源回路を備える燃焼装置であって、
電気的駆動弁、イグナイタおよび制御装置には、スイッチング電源回路から直流電力が供給されており、
制御装置は、バーナの燃焼を開始する際に、イグナイタを駆動している状態で、電気的駆動弁を閉状態から開状態に切り換える着火処理を実行し、
制御装置は、着火処理を実行した後、熱電対の出力電圧が第１しきい値を超えると、バーナが着火したと判定する着火判定処理を実行し、
制御装置は、バーナが着火したと判定した後、所定時間が経過しても熱電対の出力電圧が所定量以上増加しない場合に、バーナが着火したとの判定をキャンセルする着火判定キャンセル処理を実行する、燃焼装置。
【請求項２】
制御装置は、バーナが着火したと判定した後、熱電対の出力電圧が減少した場合に、バーナが失火したと判定する失火判定処理を実行し、
制御装置は、着火処理を実行する前の熱電対の出力電圧が第２しきい値を超える場合には、着火判定キャンセル処理を実行しない、請求項１の燃焼装置。
【発明の詳細な説明】
【技術分野】
【０００１】
本発明は、燃焼装置に関する。
【背景技術】
【０００２】
特許文献１には、商用電源から供給される交流電力を、直流電力に変換して正極出力線および負極出力線に出力するスイッチング電源回路であって、接地電位と負極出力線を接続するキャパシタを備えているスイッチング電源回路が開示されている。このスイッチング電源回路では、接地電位と負極出力線を接続するキャパシタによって、リンギングノイズの回り込みを抑制することができる。
【先行技術文献】
【特許文献】
【０００３】
【特許文献１】特開２００７−２９５６４５号公報
【発明の概要】
【発明が解決しようとする課題】
【０００４】
上記のようなスイッチング電源回路を、バーナと、バーナへのガスの供給を許容する開状態と、バーナへのガスの供給を禁止する閉状態の間で切り換え可能な電気的駆動弁と、バーナに設けられたイグナイタと、バーナに設けられており、接地電位を基準とする熱起電力を出力電圧として出力する熱電対と、電気的駆動弁およびイグナイタの動作を制御するとともに、熱電対の出力電圧に基づいてバーナの着火の有無を判定する制御装置を備える燃焼装置に適用することがある。この場合、電気的駆動弁、イグナイタおよび制御装置には、スイッチング電源回路から直流電力が供給される。このような燃焼装置においては、バーナの燃焼を開始する際に、ガスが充満した状態で着火してしまうことを抑制するために、イグナイタを駆動している状態で、電気的駆動弁を閉状態から開状態に切り換える着火処理が行われることがある。
【０００５】
イグナイタや電気的駆動弁は駆動時に大きな電流を必要とするため、上記のような着火処理を行う際には、スイッチング電源回路から大きな電流を出力する必要がある。スイッチング電源回路から大きな電流を出力する際に、キャパシタにオープン故障やショート故障が生じていると、リンギングノイズの回り込みや電流の直流成分の影響によって、制御装置が認識する熱電対の出力電圧が変動することがある。着火処理を行う際に、実際にはバーナが着火しておらず、実際の熱電対の熱起電力に変動がないにも関わらず、制御装置が認識する熱電対の出力電圧に変動が生じると、制御装置においてバーナが着火したと誤判定してしまうおそれがある。
【０００６】
本明細書では、スイッチング電源回路を備える燃焼装置において、バーナが着火したと誤判定してしまうことを防止することが可能な技術を提供する。
【課題を解決するための手段】
【０００７】
本明細書が開示する燃焼装置は、バーナと、バーナへのガスの供給を許容する開状態と、バーナへのガスの供給を禁止する閉状態の間で切り換え可能な電気的駆動弁と、バーナに設けられたイグナイタと、バーナに設けられており、接地電位を基準とする熱起電力を出力電圧として出力する熱電対と、電気的駆動弁およびイグナイタの動作を制御するとともに、熱電対の出力電圧に基づいてバーナの着火の有無を判定する制御装置と、商用電源から供給される交流電力を、直流電力に変換して正極出力線および負極出力線に出力するスイッチング電源回路であって、接地電位と負極出力線を接続するキャパシタを備えているスイッチング電源回路を備えている。電気的駆動弁、イグナイタおよび制御装置には、スイッチング電源回路から直流電力が供給されている。制御装置は、バーナの燃焼を開始する際に、イグナイタを駆動している状態で、電気的駆動弁を閉状態から開状態に切り換える着火処理を実行する。制御装置は、着火処理を実行した後、熱電対の出力電圧が第１しきい値を超えると、バーナが着火したと判定する着火判定処理を実行する。制御装置は、バーナが着火したと判定した後、所定時間が経過しても熱電対の出力電圧が所定量以上増加しない場合に、バーナが着火したとの判定をキャンセルする着火判定キャンセル処理を実行する。
【０００８】
着火処理を行う際に、キャパシタにオープン故障やショート故障が生じており、スイッチング電源回路が大きな電流を出力することに起因して熱電対の出力電圧が変動する場合、その変動幅が時間とともに増加していくことはない。これに対して、バーナが着火したことに起因する熱電対の出力電圧の増加は、その増加幅は時間とともに増大していく。そこで、上記の燃焼装置では、バーナが着火したと判定した後、所定時間が経過しても熱電対の出力電圧が所定量以上増加しない場合に、バーナが着火したとの判定をキャンセルする。このような構成とすることによって、バーナが着火したと誤判定してしまうことを防止することができる。
【０００９】
上記の燃焼装置では、制御装置は、バーナが着火したと判定した後、熱電対の出力電圧が減少した場合に、バーナが失火したと判定する失火判定処理を実行してもよく、制御装置は、着火処理を実行する前の熱電対の出力電圧が第２しきい値を超える場合には、着火判定キャンセル処理を実行しなくてもよい。
【００１０】
バーナの燃焼を開始する際に、前回のバーナの燃焼からそれほど時間が経過していない場合など、着火処理を実行する時点で、すでに熱電対が高温となっていることがある。このような場合、バーナが着火していなければ、熱電対の温度が徐々に低下していき、熱電対の出力電圧も徐々に低下していく。このため、着火処理を行う前から熱電対が高温となっている場合には、キャパシタのオープン故障やショート故障によって、バーナが着火したと誤判定した場合に、上記した着火判定キャンセル処理を実行しなくても、熱電対の出力電圧が減少して、制御装置はバーナが失火したと判定することができる。上記の構成では、着火処理を実行する前の熱電対の出力電圧が高い場合、すなわち着火処理を実行する前から熱電対が高温となっている場合に、着火判定キャンセル処理を行わないので、制御装置における処理負荷を軽減することができる。
【図面の簡単な説明】
【００１１】
【図１】実施例に係る衣類乾燥機２の構成を模式的に示す図。
【図２】実施例に係る電子ユニット７０の回路構成の概略を示す図。
【図３】実施例に係る電子ユニット７０の回路構成の概略を示す図。
【図４】実施例に係る熱電対３１の出力電圧の経時的変化を示す図。
【発明を実施するための形態】
【００１２】
（実施例）
以下では図面を参照しながら、燃焼装置の一実施形態に係る衣類乾燥機２について説明する。図１に示すように、衣類乾燥機２は、筐体４と、ドア６と、ドラム１０と、ファン１４と、バーナ３０と、電子ユニット７０と、を備えている。
【００１３】
筐体４は、衣類乾燥機２の本体である。衣類乾燥機２の上記の各要素は筐体４内に収容されている。筐体４の前面（図１の左側）には、表示部及び操作部（図示しない）が設けられている。表示部は様々な情報が表示されるディスプレイである。操作部は複数のボタンを備える。利用者は、操作部を介して、衣類乾燥機２に様々な指示を入力可能である。ドア６は、筐体４の前面に設けられた扉である。
【００１４】
ドラム１０は、乾燥の対象の衣類Ｃを収容する容器である。ドラム１０は、モータ１２によって回転させられる。ドラム１０の前面側には前面開口部１０ａが開口しており、ドア６によって閉塞される。衣類乾燥機２の利用者は、ドア６を開けて、前面開口部１０ａを介してドラム１０内に衣類Ｃを投入するとともに、ドラム１０内から衣類Ｃを取り出すことができる。また、ドラム１０の前面側であって、前面開口部１０ａの側方には、ドラム１０内にバーナ３０で加熱された後の空気を送り込むための吹出口３６も開口されている。
【００１５】
ドラム１０内には、電極５０及び衣類温サーミスタ６０が設けられている。電極５０は、衣類Ｃに含まれる水分を検出する。衣類温サーミスタ６０は、ドラム１０内の衣類Ｃの温度を検出する。ドラム１０の回転に伴って衣類Ｃが電極５０及び衣類温サーミスタ６０に接触することにより、電極５０は衣類Ｃの水分を検出し、衣類温サーミスタ６０は衣類温を検出することができる。
【００１６】
また、ドラム１０の後面側（図１の右側）には後面開口部１０ｂが開口している。後面開口部１０ｂはリントフィルタ１６によって閉塞されている。リントフィルタ１６は、ドラム１０内の衣類Ｃ等から発生した糸くず（リント）等を収集するためのフィルタである。リントフィルタ１６は、空気を通過させるが、空気に含まれる糸くず等を通過させずに捕捉する。
【００１７】
ファン１４は、ドラム１０の後側に配置されている。ファン１４を作動させることにより、筐体４の外部からドラム１０内に空気を送り込むとともに（図１の矢印Ｗ１〜Ｗ３参照）、ドラム１０内の空気を、筐体４の背面（図１中の右側）近傍の上面に形成された排気口２０に向けて送り出す（図１の矢印Ｗ４〜Ｗ６参照）ことができる。排気温サーミスタ２２は、排気口２０の近傍に設けられており、ドラム１０内から排気口２０に向けて送り出される空気の温度を検出するサーミスタである。
【００１８】
バーナ３０は、ドラム１０の下方に配置されている。バーナ３０は、ガスを燃焼させた燃焼熱を利用して、外部から吹出口３６を介してドラム１０内に送りこまれる空気を加熱する（矢印Ｗ３参照）。バーナ３０には、放電によってガスに着火するイグナイタ２９と、着火の有無を検出する熱電対３１が設けられている。バーナ３０には、ガス供給管３２を介して燃料であるガスが供給される。ガス供給管３２には、ガス供給管３２を開閉するための第１電磁弁３３、第２電磁弁３４と、ガス供給管３２を流れるガスの流量を調整するための比例弁３５が設けられている。バーナ３０と吹出口３６との間には吹出温サーミスタ４０が設けられている。吹出温サーミスタ４０は、バーナ３０で加熱された後の空気（即ち、吹出口３６からドラム１０内に送り込まれる空気（矢印Ｗ３参照））の温度を検出するサーミスタである。
【００１９】
電子ユニット７０は、上述の衣類乾燥機２の筐体４内の各構成要素と電気的に接続されている。電子ユニット７０は、各構成要素に電力を供給するとともに、各構成要素の動作を制御する。
【００２０】
図２および図３は、電子ユニット７０の回路構成の概略を示している。電子ユニット７０は、スイッチング電源回路７２（図２参照）と、降圧回路７４（図２参照）と、ＣＰＵ７６（図２、図３参照）と、熱電対検出回路７８（図３参照）と、第１電磁弁駆動回路８０（図３参照）と、第２電磁弁駆動回路８２（図３参照）と、イグナイタ駆動回路８４（図３参照）を備えている。
【００２１】
図２に示すスイッチング電源回路７２は、商用電源１００から供給される交流電力を変換して、正極出力線７２ａおよび負極出力線７２ｂに直流電力を出力する。スイッチング電源回路７２は、整流回路１０２、電解キャパシタ１０４、トランス１０６、スイッチング素子１０８、スイッチング制御回路１１０、電解キャパシタ１１２、キャパシタ１１４、キャパシタ１１６を備えている。
【００２２】
整流回路１０２は、商用電源１００から入力される交流電力を整流して、正極出力線１０２ａと負極出力線１０２ｂに直流電力を出力する。整流回路１０２は、図示しないノイズフィルタを備えており、当該ノイズフィルタを介して接地電位である筐体４に接続されている。電解キャパシタ１０４は、整流回路１０２の正極出力線１０２ａと負極出力線１０２ｂの間に接続されており、整流回路１０２の出力を平滑化する。整流回路１０２の負極出力線１０２ｂは、キャパシタ１１４を介して接地電位である筐体４に接続されている。
【００２３】
トランス１０６は、一次コイル１１８と、二次コイル１２０と、補助コイル１２２を備えている。一次コイル１１８はスイッチング素子１０８と直列回路を構成しており、当該直列回路は整流回路１０２の正極出力線１０２ａと負極出力線１０２ｂの間に接続されている。スイッチング素子１０８の導通および非導通が切り換わることで、トランス１０６において、一次コイル１１８に交流電圧が印加され、二次コイル１２０と補助コイル１２２にそれぞれ誘導起電力が生じる。補助コイル１２２はスイッチング制御回路１１０に接続されている。スイッチング制御回路１１０は、補助コイル１２２に生じた誘導起電力に応じて、スイッチング素子１０８の導通および非導通の切り換えを制御する。二次コイル１２０は、スイッチング電源回路７２の正極出力線７２ａと負極出力線７２ｂの間に接続されている。電解キャパシタ１１２は、スイッチング電源回路７２の正極出力線７２ａと負極出力線７２ｂの間に接続されており、スイッチング電源回路７２の出力を平滑化する。スイッチング電源回路７２の負極出力線７２ｂは、キャパシタ１１６を介して接地電位である筐体４に接続されている。スイッチング電源回路７２の正極出力線７２ａは、電子ユニット７０の第１正電源電位１２４に接続しており、スイッチング電源回路７２の負極出力線７２ｂは、電子ユニット７０の第１負電源電位１２６に接続している。スイッチング電源回路７２によって、第１正電源電位１２４と第１負電源電位１２６の間には、例えば１３Ｖの直流電圧が供給される。
【００２４】
降圧回路７４は、ＤＣ−ＤＣコンバータ１２８と、電解キャパシタ１３０を備えている。ＤＣ−ＤＣコンバータ１２８は、スイッチング電源回路７２から入力される直流電力（例えば１３Ｖ）を降圧して、正極出力線７４ａと負極出力線７４ｂに、より低い電圧の直流電力（例えば５Ｖ）を出力する。電解キャパシタ１３０は、正極出力線７４ａと負極出力線７４ｂの間に接続されており、降圧回路７４の出力を平滑化する。降圧回路７４の正極出力線７４ａは、電子ユニット７０の第２正電源電位１３２に接続しており、降圧回路７４の負極出力線７４ｂは、電子ユニット７０の第２負電源電位１３４に接続している。降圧回路７４によって、第２正電源電位１３２と第２負電源電位１３４の間には、例えば５Ｖの直流電圧が供給される。ＣＰＵ７６には、第２正電源電位１３２と第２負電源電位１３４から電力が供給される。
【００２５】
図３に示すように、熱電対３１は、熱電対検出回路７８を介してＣＰＵ７６に接続されている。熱電対３１の正極信号線３１ａと負極信号線３１ｂは、熱電対検出回路７８に接続されている。また、熱電対３１の負極信号線３１ｂは、接地電位である筐体４に接続されている。熱電対３１は、熱電対３１の温度に応じて、接地電位を基準とする熱起電力を生じて、熱電対検出回路７８に出力電圧として出力する。熱電対検出回路７８は、熱電対３１の出力電圧をデジタル値に変換してＣＰＵ７６に送信する。ＣＰＵ７６は、熱電対３１の出力電圧が着火検知レベルを超えると、バーナ３０が着火したと判定する。なお、熱電対検出回路７８には、第２正電源電位１３２と第２負電源電位１３４から電力が供給される。
【００２６】
第１電磁弁３３は、第１電磁弁駆動回路８０を介して、ＣＰＵ７６に接続されている。第１電磁弁駆動回路８０は、ＣＰＵ７６からの制御信号に応じて、第１正電源電位１２４と第１負電源電位１２６から供給される電力を、第１電磁弁３３に供給する。第１電磁弁３３は、電力が供給されていない場合に閉状態となっており、電力が供給されると開状態となる。ＣＰＵ７６は、第１電磁弁駆動回路８０を介して、第１電磁弁３３の開閉動作を制御することができる。
【００２７】
第２電磁弁３４は、第２電磁弁駆動回路８２を介して、ＣＰＵ７６に接続されている。第２電磁弁駆動回路８２は、ＣＰＵ７６からの制御信号に応じて、第１正電源電位１２４と第１負電源電位１２６から供給される電力を、第２電磁弁３４に供給する。第２電磁弁３４は、電力が供給されていない場合に閉状態となっており、電力が供給されると開状態となる。ＣＰＵ７６は、第２電磁弁駆動回路８２を介して、第２電磁弁３４の開閉動作を制御することができる。
【００２８】
イグナイタ２９は、イグナイタ駆動回路８４を介して、ＣＰＵ７６に接続されている。イグナイタ駆動回路８４は、ＣＰＵ７６からの制御信号に応じて、第１正電源電位１２４と第１負電源電位１２６から供給される電力を、イグナイタ２９に供給する。イグナイタ２９は、電力が供給されていない場合は動作を停止しており、電力が供給されると放電動作を実行する。ＣＰＵ７６は、イグナイタ駆動回路８４を介して、イグナイタ２９の放電動作を制御することができる。
【００２９】
なお、図２、図３には図示していないが、電子ユニット７０は他にも、電極５０、衣類温サーミスタ６０、排気温サーミスタ２２等の検出信号をＣＰＵ７６に入力するための検出回路や、ＣＰＵ７６の制御によってモータ１２、ファン１４、比例弁３５を駆動するための駆動回路を備えている。また、電子ユニット７０の具体的な構成は、図２、図３に図示するものに限られるものではなく、上記と同様の機能を発揮するものであれば、どのような構成のものであってもよい。
【００３０】
図４に示すように、衣類乾燥機２においてユーザから運転の開始が指示されると（図４の時刻Ｔ１）、ＣＰＵ７６は、バーナ３０を着火するために、イグナイタ２９による放電動作を開始する（図４の時刻Ｔ２）。その状態で、ＣＰＵ７６は、第１電磁弁３３および第２電磁弁３４の故障の有無を検査する。具体的には、ＣＰＵ７６は、イグナイタ２９による放電動作を行っている状態で、第１電磁弁３３を閉じたまま第２電磁弁３４を開く（図４の時刻Ｔ３）。第１電磁弁３３が正常であれば、この状態ではバーナ３０が着火することは無いが、第１電磁弁３３がオープン故障している場合、この状態でバーナ３０が着火する。このため、この状態でバーナ３０の着火を検出した場合には、ＣＰＵ７６は、第１電磁弁３３がオープン故障をしていると判断し、第２電磁弁３４を閉じてユーザに異常を報知する。第１電磁弁３３が正常であることが確認されると、ＣＰＵ７６は、イグナイタ２９による放電動作を行っている状態で、第２電磁弁３４を閉じて第１電磁弁３３を開く（図４の時刻Ｔ４）。第２電磁弁３４が正常であれば、この状態ではバーナ３０が着火することは無いが、第２電磁弁３４がオープン故障している場合、この状態でバーナ３０が着火する。このため、この状態でバーナ３０の着火を検出した場合には、ＣＰＵ７６は、第２電磁弁３４がオープン故障をしていると判断し、第１電磁弁３３を閉じてユーザに異常を報知する。第２電磁弁３４が正常であることが確認されると、ＣＰＵ７６は、イグナイタ２９による放電動作を行っている状態で、第１電磁弁３３と第２電磁弁３４の両方を開く（図４の時刻Ｔ５）。
【００３１】
第１電磁弁３３や第２電磁弁３４を閉状態から開状態に切り換える際には、スイッチング電源回路７２から第１電磁弁３３や第２電磁弁３４に大きな電流を供給する必要がある。同様に、イグナイタ２９に放電動作を行わせる際には、スイッチング電源回路７２からイグナイタ２９に大きな電流を供給する必要がある。スイッチング電源回路７２から大きな電流を供給する場合、キャパシタ１１６にオープン故障やショート故障が生じていると、電子ユニット７０が認識する熱電対３１の出力電圧に変動が生じることがある。
【００３２】
図２に示すスイッチング電源回路７２において大きな電流を出力する際には、スイッチング電源回路７２において大きなリンギングノイズが発生する。このリンギングノイズの出力側（すなわち、第１正電源電位１２４、第１負電源電位１２６や、第２正電源電位１３２、第２負電源電位１３４）への伝播は、通常はキャパシタ１１６によって抑制されている。しかしながら、キャパシタ１１６がオープン故障してしまうと、リンギングノイズが出力側に伝播して、筐体４の接地電位に対して、第１負電源電位１２６や第２負電源電位１３４の電位が変動してしまう。熱電対３１は筐体４の接地電位を基準とする熱起電力を出力しているので、上記のようなリンギングノイズの伝播によって、実際の熱電対３１の熱起電力に変動がないにも関わらず、ＣＰＵ７６が認識する熱電対３１の出力電圧に変動が生じてしまう。
【００３３】
また、スイッチング電源回路７２において大きな電流を出力する際には、スイッチング電源回路７２の負極出力線７２ｂに、大きな直流成分の電流が流れる。この電流の接地電位（筐体４）への流入は、通常はキャパシタ１１６によって抑制されている。しかしながら、キャパシタ１１６がショート故障してしまうと、この電流が接地電位（筐体４）に流れて、筐体４の接地電位に対して、第１負電源電位１２６や第２負電源電位１３４の電位が変動してしまう。熱電対３１は筐体４の接地電位を基準とする熱起電力を出力しているので、上記のような直流成分の電流の流入によって、実際の熱電対３１の熱起電力に変動がないにも関わらず、ＣＰＵ７６が認識する熱電対３１の出力電圧に変動が生じてしまう。
【００３４】
図４に示すように、キャパシタ１１６が正常である場合には、熱電対３１の出力電圧はバーナ３０の着火の状態を反映したものとなる。イグナイタ２９も正常に動作している場合には、第１電磁弁３３と第２電磁弁３４の両方が開くと（図４の時刻Ｔ５）、バーナ３０が着火する。バーナ３０の着火に伴い、熱電対３１の出力電圧が増加していき、熱電対３１の出力電圧が着火検知レベルに達した時点（図４の時刻Ｔ６）で、ＣＰＵ７６はバーナ３０が着火したと判定する。その後、バーナ３０の着火判定から所定時間が経過した時に（図４の時刻Ｔ８）、ＣＰＵ７６はイグナイタ２９による放電動作を停止する。その後は、バーナ３０は通常通りの燃焼動作を実行する。
【００３５】
なお、バーナ３０の着火後、何らかの原因でバーナ３０が失火することがある。バーナ３０が失火すると、熱電対３１は徐々に温度低下していくので、熱電対３１の出力電圧は徐々に低下していく。このため、本実施例の衣類乾燥機２では、バーナ３０が着火したと判定した後、熱電対３１の出力電圧が減少した場合には、バーナ３０が失火したと判定する。この場合、ＣＰＵ７６は、第１電磁弁３３と第２電磁弁３４を閉じてユーザに異常を報知する。
【００３６】
なお、図４に示すように、キャパシタ１１６が正常であるが、イグナイタ２９が故障している場合には、第１電磁弁３３と第２電磁弁３４の両方を開いても、バーナ３０は着火しない。この場合、熱電対３１の出力電圧は一定であり、熱電対３１の出力電圧が着火検知レベルを超えることはない。そこで、本実施例のＣＰＵ７６は、第１電磁弁３３と第２電磁弁３４の両方を開いてから（図４の時刻Ｔ５）、所定時間が経過しても熱電対３１の出力電圧が着火検知レベルに達しない場合には、イグナイタ２９が故障していると判断し、第１電磁弁３３と第２電磁弁３４を閉じてユーザに異常を報知する。
【００３７】
図４に示すように、キャパシタ１１６がオープン故障またはショート故障している場合には、熱電対３１の出力電圧は、バーナ３０の着火の状態だけでなく、スイッチング電源回路７２から出力される電流の状態も反映したものとなる。この場合、第１電磁弁３３と第２電磁弁３４の両方が開くと（図４の時刻Ｔ５）、バーナ３０の着火の有無に関わらず、熱電対３１の出力電圧が着火検知レベルを超えて増加し（図４の時刻Ｔ５）、ＣＰＵ７６はバーナ３０が着火したと判定する。その後、バーナ３０の着火判定から所定時間が経過した時に（図４の時刻Ｔ７）、ＣＰＵ７６はイグナイタ２９による放電動作を停止する。この場合、イグナイタ２９が正常に動作していれば、バーナ３０への着火が行われて、熱電対３１の出力電圧はバーナ３０の着火の状態を反映してさらに増加する。この場合は、バーナ３０に通常通りの燃焼動作を実行させても問題はない。しかしながら、イグナイタ２９に故障が生じており、バーナ３０への着火が行われていない場合には、第１電磁弁３３と第２電磁弁３４を開いたままにしておくと、バーナ３０からガスが放出され続けてしまう。
【００３８】
そこで、本実施例の衣類乾燥機２では、ＣＰＵ７６は、熱電対３１の出力電圧が着火検知レベルに達して、バーナ３０が着火したと判定した後、所定時間（例えば３０秒）が経過しても、熱電対３１の出力電圧が所定量（例えば２ｍＶ）以上増加しない場合に、バーナ３０が着火したとの判定をキャンセルする。この場合、ＣＰＵ７６は、第１電磁弁３３と第２電磁弁３４を閉じてユーザに異常を報知する。このような構成とすることによって、キャパシタ１１６の故障に起因してバーナ３０が着火したと誤判定してしまうことを防止することができる。
【００３９】
なお、衣類乾燥機２の運転を開始する際に、前回の運転からそれほど時間が経過していない場合など、バーナ３０が着火する前から熱電対３１の温度が高い状態となっている場合がある。このような場合、バーナ３０が着火していない状態では、キャパシタ１１６の故障の有無に関わらず、熱電対３１の出力電圧は徐々に低下していく。このため、バーナ３０が着火する前から熱電対３１の温度が高い状態となっており、キャパシタ１１６が故障し、かつイグナイタ２９が故障している場合、まず熱電対３１の出力電圧が着火検知レベルを超えて増加した時点で（図４の時刻Ｔ５）、ＣＰＵ７６はバーナ３０が着火したと判定する。その後、上記のような着火判定のキャンセル処理を行わなくても、熱電対３１の出力電圧が徐々に低下することで、ＣＰＵ７６はバーナ３０が失火したと判定し、第１電磁弁３３と第２電磁弁３４を閉じてユーザに異常を報知する。このため、本実施例のＣＰＵ７６は、バーナ３０が着火する前から熱電対３１の温度が高い状態となっている場合、例えば時刻Ｔ５より前の熱電対３１の出力電圧が所定のしきい値（例えば１ｍＶ）以上の場合には、上記のような着火判定のキャンセル処理を行わない。このような構成とすることで、ＣＰＵ７６における処理負荷を軽減することができる。
【００４０】
以上のように、本実施例の衣類乾燥機２は、バーナ３０と、バーナ３０へのガスの供給を許容する開状態と、バーナ３０へのガスの供給を禁止する閉状態の間で切り換え可能な第１電磁弁３３、第２電磁弁３４（電気的駆動弁の一例）と、バーナ３０に設けられたイグナイタ２９と、バーナ３０に設けられており、筐体４の接地電位を基準とする熱起電力を出力電圧として出力する熱電対３１と、第１電磁弁３３、第２電磁弁３４およびイグナイタ２９の動作を制御するとともに、熱電対３１の出力電圧に基づいてバーナ３０の着火の有無を判定するＣＰＵ７６、熱電対検出回路７８、第１電磁弁駆動回路８０、第２電磁弁駆動回路８２およびイグナイタ駆動回路８４（制御装置の一例）と、商用電源１００から供給される交流電力を、直流電力に変換して正極出力線７２ａおよび負極出力線７２ｂに出力するスイッチング電源回路７２であって、筐体４の接地電位と負極出力線７２ｂを接続するキャパシタ１１６を備えているスイッチング電源回路７２を備えている。第１電磁弁３３、第２電磁弁３４、イグナイタ２９、ＣＰＵ７６、熱電対検出回路７８、第１電磁弁駆動回路８０、第２電磁弁駆動回路８２およびイグナイタ駆動回路８４には、スイッチング電源回路７２から直流電力が供給されている。ＣＰＵ７６は、バーナ３０の燃焼を開始する際に、イグナイタ２９を駆動している状態で、第１電磁弁３３、第２電磁弁３４を閉状態から開状態に切り換える着火処理を実行する。ＣＰＵ７６は、着火処理を実行した後、熱電対３１の出力電圧が着火検知レベル（第１しきい値の一例）を超えると、バーナ３０が着火したと判定する着火判定処理を実行する。ＣＰＵ７６は、バーナ３０が着火したと判定した後、所定時間（例えば３０秒）が経過しても熱電対３１の出力電圧が所定量（例えば２ｍＶ）以上増加しない場合に、バーナ３０が着火したとの判定をキャンセルする着火判定キャンセル処理を実行する。
【００４１】
また、本実施例の衣類乾燥機２では、ＣＰＵ７６は、バーナ３０が着火したと判定した後、熱電対３１の出力電圧が減少した場合に、バーナ３０が失火したと判定する失火判定処理を実行する。ＣＰＵ７６は、着火処理を実行する前の熱電対３１の出力電圧が第２しきい値（例えば１mV）を超える場合には、着火判定キャンセル処理を実行しない。
【００４２】
上記の実施例では、燃焼装置が衣類乾燥機２である場合について説明したが、これに限られるものではない。燃焼装置は、例えば給湯機や暖房機、ガス調理器等であってもよい。
【００４３】
以上、実施例について詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４４】
２        ：衣類乾燥機
４        ：筐体
６        ：ドア
１０      ：ドラム
１０ａ    ：前面開口部
１０ｂ    ：後面開口部
１２      ：モータ
１４      ：ファン
１６      ：リントフィルタ
２０      ：排気口
２２      ：排気温サーミスタ
２９      ：イグナイタ
３０      ：バーナ
３１      ：熱電対
３１ａ    ：正極信号線
３１ｂ    ：負極信号線
３２      ：ガス供給管
３３      ：第１電磁弁
３４      ：第２電磁弁
３５      ：比例弁
３６      ：吹出口
４０      ：吹出温サーミスタ
５０      ：電極
６０      ：衣類温サーミスタ
７０      ：電子ユニット
７２      ：スイッチング電源回路
７２ａ    ：正極出力線
７２ｂ    ：負極出力線
７４      ：降圧回路
７４ａ    ：正極出力線
７４ｂ    ：負極出力線
７６      ：ＣＰＵ
７８      ：熱電対検出回路
８０      ：第１電磁弁駆動回路
８２      ：第２電磁弁駆動回路
８４      ：イグナイタ駆動回路
１００    ：商用電源
１０２    ：整流回路
１０２ａ  ：正極出力線
１０２ｂ  ：負極出力線
１０４    ：電解キャパシタ
１０６    ：トランス
１０８    ：スイッチング素子
１１０    ：スイッチング制御回路
１１２    ：電解キャパシタ
１１４    ：キャパシタ
１１６    ：キャパシタ
１１８    ：一次コイル
１２０    ：二次コイル
１２２    ：補助コイル
１２４    ：第１正電源電位
１２６    ：第１負電源電位
１２８    ：ＤＣ−ＤＣコンバータ
１３０    ：電解キャパシタ
１３２    ：第２正電源電位
１３４    ：第２負電源電位
【図１】
2019044996.tif 000003
【図２】
2019044996.tif 000004
【図３】
2019044996.tif 000005
【図４】
2019044996.tif 000006